(57)【要約】  【課題】  キー操作部のキーの絶対数を増やすことにより１つのキーの機能を減らし、操作が簡単で、且つ多機能な携帯電話装置を提供することを目的とする。  【解決手段】  少なくとも受話器と表示部を有する第１筐体と、少なくとも送話器とキー操作部を有する第２筐体とが、接合部にて回転可能なように結合されて構成され、前記第１筐体の少なくとも２つの異なる面にそれぞれ表示部を有し、前記第２筐体の少なくとも２つの異なる面にそれぞれキー操作部を有し、第１筺体の１つの表示部と第２筐体の１つのキー操作部が互いに対向する状態においても、少なくとも１つの他の表示部を見ることができ、少なくとも１つの他のキー操作部を操作することができることを特徴とする携帯電話装置。【選択図】  図１
2007243972.tif 000002
【特許請求の範囲】
【請求項１】
少なくとも受話器と表示部を有する第１筐体と、少なくとも送話器とキー操作部を有する第２筐体とが、接合部にて回転可能なように結合されて構成され、
前記第１筐体の少なくとも２つの異なる面にそれぞれ表示部を有し、前記第２筐体の少なくとも２つの異なる面にそれぞれキー操作部を有し、
第１筺体の１つの表示部と第２筐体の１つのキー操作部が互いに対向する状態においても、少なくとも１つの他の表示部を見ることができ、少なくとも１つの他のキー操作部を操作することができることを特徴とする携帯電話装置。
【請求項２】
前記表示部は、少なくとも最も広い面と、その裏側の面に設けられていることを特徴とする請求項１記載の携帯電話装置。
【請求項３】
前記キー操作部は、少なくとも最も広い面と、その裏側の面に設けられていることを特徴とする請求項１〜２記載の携帯電話装置。
【請求項４】
前記表示部の少なくとも１つが液晶ディスプレイであることを特徴とする請求項１〜３記載の携帯電話装置。
【請求項５】
前記キー操作部が、少なくとも、ローマ字表示、数字表示、ひらがな表示、またはカタカナ表示のキーを有することを特徴とする請求項１〜４記載の携帯電話装置。
【請求項６】
前記キー操作部が、少なくとも、「Ａ」から「Ｚ」までの２６個のローマ字表示のキーを有することを特徴とする請求項５記載の携帯電話装置。
【請求項７】
前記キー操作部のキーが液晶タッチパネルであることを特徴とする請求項１〜６記載の携帯電話装置。
【発明の詳細な説明】
【技術分野】
【０００１】
本発明は携帯電話装置に関し、特に、接合部を中心に回転可動な２つの筐体を有する構造で、キー操作部を２つ以上有する携帯電話装置に関する。
【背景技術】
【０００２】
従来の携帯電話装置は１つのキー操作部を有し、１つのキーに複数の機能を持たせ、電話応対や電子メール応対を１つのキー操作部で行なう。たとえば、特許文献１においては、一般的な携帯電話装置が開示されている
【特許文献１】特開２００１−３３３１６６号公報（図１）
【発明の開示】
【発明が解決しようとする課題】
【０００３】
しかしながら、キー操作部を１つしか有していない従来の携帯電話装置では、上記のように、キーの数が少ないため、１つのキーに多くの機能を持たせる必要があり、キーの機能が不明瞭であったり、電子メール作成においてはキーの操作が非常に煩雑であるという問題点があった。
【０００４】
例えば、従来の携帯電話装置では、特に電子メール作成において、「か行」の文字を入力する際には、「か」が表示されたキーのみを使用する。そして、「こ」を入力する際には、該キーを１回押すごとに「か」、「き」、「く」、「け」、「こ」と順に表示されるため、５回押して「こ」を入力する。また、撥音である「っ」を入力する際には、「た」が表示されたキーのみを使用し、該キーを１回押すごとに「た」、「ち」、「つ」、「て」、「と」、「っ」と順に表示されるため、６回押して「っ」を入力する。
【０００５】
そこで本発明の目的は、キー操作部のキーの絶対数を増やすことにより１つのキーの機能を減らし、操作が簡単で、且つ多機能な携帯電話装置を提供することである。
【課題を解決するための手段】
【０００６】
上記の課題を解決するために、本発明の携帯電話装置は、請求項１の記載のように、少なくとも受話器と表示部を有する第１筐体と、少なくとも送話器とキー操作部を有する第２筐体とが、接合部にて回転可能なように結合されて構成され、前記第１筐体の少なくとも２つの異なる面にそれぞれ表示部を有し、第１筺体の１つの表示部と第２筐体の１つのキー操作部が互いに対向する状態においても、少なくとも１つの他の表示部を見ることができ、少なくとも１つの他のキー操作部を操作することを特徴とする。
【０００７】
また本発明の携帯電話装置は、請求項２に記載のように、前記表示部は、少なくとも最も広い面と、その裏側の面に設けられていることを特徴とする。
【０００８】
また本発明の携帯電話装置は、請求項３に記載のように、前記キー操作部は、少なくとも最も広い面と、その裏側の面に設けられていることを特徴とする。
【０００９】
また本発明の携帯電話装置は、請求項４に記載のように、前記表示部の少なくとも１つが液晶ディスプレイであることを特徴とする。
【００１０】
また本発明の携帯電話装置は、請求項５に記載のように、前記キー操作部が、少なくとも、ローマ字表示、数字表示、ひらがな表示、またはカタカナ表示のキーを有することを特徴とする。
【００１１】
また本発明の携帯電話装置は、請求項６に記載のように、前記キー操作部が、少なくとも、「Ａ」から「Ｚ」までの２６個のローマ字表示のキーを有することを特徴とする。
【００１２】
また本発明の携帯電話装置は、請求項７に記載のように、前記キー操作部のキーが液晶タッチパネルであることを特徴とする。
【発明の効果】
【００１３】
本発明の第１の構成によれば、本発明の携帯電話装置は、少なくとも受話器と表示部を有する第１筐体と、少なくとも送話器とキー操作部を有する第２筐体とが、接合部にて回転可能なように結合されて構成され、前記第１筐体の少なくとも２つの異なる面にそれぞれ表示部を有し、前記第２筐体の少なくとも２つの異なる面にそれぞれキー操作部を有し、第１筺体の１つの表示部と第２筐体の１つのキー操作部が互いに対向する状態においても、少なくとも１つの他の表示部を見ることができ、少なくとも１つの他のキー操作部を操作することができるので、電波の強弱の状態、電子メールの着信状況、留守番電話の録音状況、または日付、時刻、その他の設定、等の各種情報を得ることが可能となり、またキーの絶対数を増やすことにより、多機能でありながらも、１つのキーの機能を減らせることが可能となり、キーの機能が明瞭となり操作が簡単になる。
【００１４】
また本発明の第２の構成によれば、本発明の携帯電話装置は、前記表示部は、少なくとも最も広い面と、その裏側の面に設けられていることから、より見やすい面に少なくとも１つの表示部を設けているので、電波の強弱の状態、電子メールの着信状況、留守番電話の録音状況、または日付、時刻、その他の設定、等の各種情報を得ることが可能となる。
【００１５】
また本発明の第３の構成によれば、本発明の携帯電話装置は、前記キー操作部は、少なくとも最も広い面と、その裏側の面に設けられていることから、より操作しやすい面に少なくとも１つのキー操作部を設けているので、キーの絶対数を増やすことができ、多機能でありながらも、１つのキーの機能を減らせることが可能となり、キーの機能が明瞭となり操作が簡単になる。
【００１６】
また本発明の第４の構成によれば、本発明の携帯電話装置は、表示部の少なくとも１つが液晶ディスプレイにすることで、表示部のコスト削減が可能で、またカラー化も容易に実施することができる。
【００１７】
また本発明の第５の構成によれば、本発明の携帯電話装置は、少なくとも２つのキー操作部のうち、１つのキー操作部のキーをローマ字表示、他方のキー操作部を数字表示にすることにより、電子メール応対用と電話応対用のキー操作部を設けることが可能となる。
【００１８】
また本発明の第６の構成によれば、本発明の携帯電話装置は、少なくとも、「Ａ」から「Ｚ」までの２６個のローマ字表示のキーを有することで、一般的なワープロ操作を可能にして、主に電子メール作成機能を持たせることにより、キー操作が従来に比べて著しく簡素化され、また多機能にメール文書を作成することができる。
【００１９】
また本発明の第７の構成によれば、本発明の携帯電話装置は、使用時にだけタッチパネルキーを表示させると、表示部とキー操作部を兼ね備えることが可能となる。すなわち、少なくとも２つのキー操作部を表示部と兼用することで、携帯電話装置全体で、最大４つの表示部を有することも可能となり表示範囲が広がる。
【発明を実施するための最良の形態】
【００２０】
次に、図面を使用して本発明の実施形態について説明する。なお、以下の実施形態は本発明を具体化した一例であって、本発明の技術的範囲を限定するものではない。
【００２１】
図１に、本発明の携帯電話装置の裏及び表から見た概略平面図を示した。第１筐体１と第２筐体２は接合部３により回転可動なように結合されている。更には、ヒンジ部４により折り畳み可能なように連結されている。例えば、接合部３は、通常、第２筐体２に収納されていて、第１筐体１を図１上方向に引くことにより出現する。これは、キー操作部を使用している際に、誤って筐体が回転してしまわないように、回転時のみ接合部が現れる構造を採用することで御操作防止を図っている。
【００２２】
第１筐体１は伸縮可能なアンテナ５、受話器６を、第２筐体２は送話器７を表裏に備えている。送話器７は表裏に備えられているので、第２筐体２の表裏面のどちらからでも通話が可能である。
【００２３】
第２筐体２の表（おもて）面には、主電源スイッチ１２、キー操作無効スイッチ１３、スクロールスイッチ１７等を備えた第１キー操作部２９を有する。誤操作防止のため、第２筐体２の表（おもて）面の第１キー操作部２９は、主電源スイッチ１２がＯＮの状態であっても、キー操作無効スイッチ１３がＯＮである場合、第１筐体１と第２筐体２が開いた状態でしか操作可能な状態にならないように制御されている。
【００２４】
また、第１筐体１の表（おもて）面には小型の液晶ディスプレイ９を備えており、該液晶ディスプレイ９には、日付、時刻、電波受信状況、録音メッセージ（留守番電話の伝言、マナーモード設定時の伝言）や電子メールの受取情報、アラーム設定、バイブレーション設定、マナーモード設定等の各種設定が表示されるようになっている。
【００２５】
電子メールの作成や送信においては、第１筐体１の裏面には大型の液晶ディスプレイ８を備えており、主電源スイッチ１２がＯＮであれば、第１筐体１と第２筐体２を開けた状態そのままで、電子メールに関するメニュー画面が表示されるようになっている。そこで、カーソル移動キー２２を使用して、メニュー画面の「新規メール作成」を選択し、確定キー２３を押して新規メール作成画面を表示させて送信メールを入力する。
【００２６】
第２筐体２の裏面の第２キー操作部３０には一般のワープロと同じ機能が与えられており、「Ａ」から「Ｚ」までの２６個のローマ字表記のキー１０、数字／記号表示用キー２０、消去キー２１、カーソル移動キー２２、確定キー２３、スペースキー２４、漢字変換キー２５、全角及び半角カタカナ変換キー２６、全角／半角英数キー２７、シフトキー２８を備える。
【００２７】
電子メールを作成した後、カーソル移動キー２２、確定キー２３により前記メニュー画面の「電子メール確定」を選択確定し、続いて該メニュー画面の「電子メール送信」を選択確定して送信する。なお、送信先はアドレス入力するか、またはメニュー画面の「アドレス帳」からも検索することもできる。
【００２８】
電話応対については、通常の電話機能使用の際には、第２筐体２を回転させて第２筐体２の表（おもて）面の第１キー操作部２９を使用する。数字表示キー１１で電話番号を液晶ディスプレイ８に表示させ、電話スイッチ１４を押すか、スクロールスイッチ１７を使用して、液晶ディスプレイ８のメニュー画面から「アドレス帳」を選択確定し電話をかけることができる。
【００２９】
なお、第２筐体２を回転させた状態で、液晶ディスプレイ８のメニュー画面に表示される内容は、上記の電子メールのメニュー画面とは異なり、アドレス帳、通話料金、通話時間、着信音設定、等の電話機能関係が主となる。
【００３０】
通話後、電話スイッチ１５を押すか、第２筐体２を回転させることにより電話を切ることができる。また、電話がかかってきた際には、第１筐体１と第２筐体２を開の状態にすることで電話を受けることができる。
【００３１】
従来の携帯電話装置のように、録音スイッチ１６、クリアースイッチ１８、マナーモードスイッチ１９を備える。
【００３２】
以上のように、上記例の携帯電話装置は、従来の電話機としての機能を全く損なうことなく、電子メール機能のための操作キーを大幅に増加させ、ワープロ操作を可能にすることにより、極めて簡便に、且つ多機能にメール文書を作成することができる。
【００３３】
また以上は、キー操作部を２つ有し、操作キーの数を増加させることを一実施例として述べてきたが、他にも、例えば、１つの筐体にＣＣＤ（ｃｈａｒｇｅ−ｃｏｕｐｌｅｄ  ｄｅｖｉｃｅ）カメラを内蔵させると、本発明の携帯電話装置は２つの筐体が回転可能なように結合されているため、従来のＣＣＤカメラ内蔵の携帯電話装置に比較して撮影角度や撮影範囲を広げることが可能である。また、回転動作としては図１に限定されるものではなく、図２のような携帯電話装置のような方法もある。
【図面の簡単な説明】
【００３４】
【図１】本発明の一実施例の携帯電話装置の裏面及び表面の概略平面を示す図である。
【図２】本発明の携帯電話装置の回転動作を示す図である。
【符号の説明】
【００３５】
１  第１筐体
２  第２筐体
３  接合部
４  ヒンジ部
５  アンテナ
６  受話器
７  送話器
８  大型液晶ディスプレイ（第１筐体裏面）
９  小型液晶ディスプレイ（第１筐体おもて面）
１０  ローマ字表記キー
１１  数字表示キー
１２  主電源スイッチ
１３  キー操作無効スイッチ
１４  電話スイッチ（ＯＮ）
１５  電話スイッチ（ＯＦＦ）
１６  録音スイッチ
１７  スクロールスイッチ
１８  クリアースイッチ
１９  マナーモードスイッチ
２０  数字／記号表示用キー
２１  消去キー
２２  カーソル移動キー
２３  確定キー
２４  スペースキー
２５  漢字変換キー
２６  全角及び半角カタカナ変換キー
２７  全角／半角英数キー
２８  シフトキー
２９  第１キー操作部
３０  第２キー操作部
【図１】
2007243972.tif 000003
【図２】
2007243972.tif 000004